(57)【要約】【課題】  空気栓の開閉操作を片手で簡単に行うことができ、さらには空気栓の気密性を高めることにより、給油効率を向上させることができる灯油ポンプを提供すること。【解決手段】  蛇腹部２、空気栓１０、分枝部３、吸上げチューブ４、送出チューブ５にて形成されている灯油ポンプ１において、前記空気栓１０は、蛇腹部２の上部に形成された吸気凸部６に装着される栓本体１１と、栓本体１１の上部に開閉自在に設置される開閉蓋１２とで形成されている。【選択図】図１
2017160896.tif 000002
【特許請求の範囲】
【請求項１】
蛇腹部、空気栓、分枝部、吸上げチューブ、送出チューブにて形成されている灯油ポンプにおいて、前記空気栓は、蛇腹部の上部に形成された吸気凸部に装着される栓本体と、栓本体の上部に開閉自在に設置される開閉蓋とで形成されていることを特徴とする灯油ポンプ。
【請求項２】
前記栓本体は、吸気凸部の周囲を覆う円柱部と、円柱部の上部に形成された開孔部を有する凸状部とからなる請求項１記載の灯油ポンプ。
【請求項３】
前記栓本体の底部に気密材を設置した請求項１または２記載の灯油ポンプ。
【請求項４】
前記開閉蓋には、前記凸状部の開孔部に嵌入される凸片が設置されている請求項１乃至３のうちいずれか１項に記載の灯油ポンプ。
【発明の詳細な説明】
【技術分野】
【０００１】  本発明は、片手で簡単に操作することができ、さらには気密性を高めることにより給油効率を向上させることができる灯油ポンプに関する。
【背景技術】
【０００２】  一般的に、ストーブに灯油を給油する際には、蛇腹部、空気栓、分枝部、吸上げチューブ、送出チューブにて形成されている手動式の灯油ポンプが使用されている。また蛇腹部に電池を収容させた電動式に灯油ポンプも汎用されている。【０００３】  上記灯油ポンプに関連する先行技術として、簡単な構造により暖房器具等の燃料タンクから残存する灯油を吸出すことのできる灯油ポンプがある（例えば特許文献１参照）。
上掲特許文献１の灯油ポンプは、吸上げチューブの先端に逆止弁を設け、あるいはまた、本吸上げチューブの先端に嵌着する先端部が漏斗状に開口する補助チューブを着脱可能に設け、この補助チューブに逆止弁を設けるとともに、その先端部分を先細に形成した。
【先行技術文献】
【特許文献】
【０００４】
【特許文献１】実登録第３１１５２６６号公報（実用新案登録請求の範囲等）
【発明の概要】
【発明が解決しようとする課題】
【０００５】  上掲特許文献１の灯油ポンプは、簡単な構造により暖房器具等の燃料タンクから残存する灯油を吸出すことが記載されている。かかる灯油ポンプは、灯油を燃料タンクからストーブタンクに移行させる際、空気栓を回動させて外気の通気を遮断させた後、蛇腹部を操作して灯油の移行をさせていた。【０００６】  しかしながら、上掲特許文献１の灯油ポンプにおける給油操作は、一方の手で蛇腹部を操作し、他方の手で空気栓を回動させなければならず、煩わしい作業を強いられた。また空気栓の気密性が低い場合、蛇腹部の押圧状態が元に戻ってしまい、再度蛇腹部を押圧しなければならないという問題も生じた。【０００７】  そこで本発明は上記の点に鑑み、空気栓の開閉操作を片手で簡単に行うことができ、さらには空気栓の気密性を高めることにより、給油効率を向上させることができる灯油ポンプを提供することにある。
【解決を解決するための手段】
【０００８】  上記課題を解決するために、蛇腹部、空気栓、分枝部、吸上げチューブ、送出チューブにて形成されている灯油ポンプにおいて、前記空気栓は、蛇腹部の上部に形成された吸気凸部に装着される栓本体と、栓本体の上部に開閉自在に設置される開閉蓋とで形成されていることを特徴とする。
【０００９】  また前記栓本体は、吸気凸部の周囲を覆う円柱部と、円柱部の上部に形成された開孔部を有する凸状部とからなる。
【００１０】  また、前記栓本体の底部に気密材を設置した。
【００１１】  また前記開閉蓋には、前記凸状部の開孔部に嵌入される凸片が設置されている。
【発明の効果】
【００１２】  灯油ポンプの空気栓は、蛇腹部の上部に形成された吸気凸部に装着される栓本体と、栓本体の上部に開閉自在に設置される開閉蓋とで形成されていることにより、片手で蛇腹部を操作している状態で空気栓の蓋を開閉することができるため、操作性や利便性を高めることができる。
【００１３】  また、空気栓の底部に気密材を設置したことにより気密性が高まり、蛇腹部の押圧状態を長時間に亘り維持することができ、給油効率も向上させることができる。
【図面の簡単な説明】
【００１４】
【図１】本発明における灯油ポンプの全体斜視図である。
【図２】開閉蓋を開口させた状態である。
【図３】灯油ポンプの分解斜視図である。
【図４】開閉蓋を閉口させた状態の側面図である。
【図５】開閉蓋を開口させた状態の側面図である。
【図６】開閉蓋を開口させた状態の側面断面図である。
【図７】蛇腹部を押圧させた状態の断面図である。
【発明を実施するための形態】
【００１５】  本発明の灯油ポンプは、空気栓の開閉操作を片手で簡単に行うことができ、さらには空気栓の気密性を高めることにより、給油効率を向上させることができることを特徴とするものである。
以下、本発明の灯油ポンプにおける実施の形態を各図面に基づいて説明する。
【００１６】  図示する灯油ポンプ１は、ポリタンク内の灯油を手動でストーブのタンクに移し変えるもので、蛇腹部２、分枝部３、吸上げチューブ４、送出チューブ５及び、前記蛇腹部２の上部中央に装着されている空気栓１０にて形成されている。
【００１７】  特に、前記空気栓１０は、蛇腹部２の上部に形成された吸気凸部６に装着される栓本体１１と、栓本体１１の上部に開閉自在に設置される開閉蓋１２とで形成されている。
【００１８】  前記栓本体１１は、吸気凸部６の周囲を覆う円柱部１３と、円柱部１３の上部に形成された開孔部１４を有する凸状部１５とからなる。また特に、前記栓本体１１の底部には気密材７が設置されている。前記気密材７は弾性伸縮するゴム部材等からなり、空気栓１０の底部と蛇腹部２の吸気凸部６との接続部分の気密性を高めることができる。さらに吸気凸部６の基部周囲には、気密材８が配設されている。
【００１９】  前記開閉蓋１２は、連結部１６を介して前記栓本体１１の上部に開閉自在に連結されている。また前記開閉蓋１２の内側中央部には、前記凸状部１５の開孔部１４に嵌入される凸片１７が設置されている。そのため、開閉蓋１２を閉口した際、凸片１７が開孔部１４に嵌入され高い気密性が得られる。
【００２０】  また前記開閉蓋１２の周縁には、凸部１８が形成されている。そのため、図４に示すように、凸部１８を指先で押し上げることにより、図５に示すように、片手で簡単に開閉蓋１２を開口させることができる。さらに凸部１８を指先で押し込むことで、片手で開閉蓋１２を閉口させることもでる。
【００２１】  次に、本発明の灯油ポンプの使用方法を図６及び図７に基づいて説明する。
図６においては、開閉蓋１２を開口した状態の断面図を示すもので、この状態では、送水チューブ５の逆止弁１９と吸上げチューブ４の逆止弁２０とは閉塞されている。
【００２２】  図７は、空気栓１０の開閉蓋１２を閉口した状態の断面図を示すもので、この状態で蛇腹部２を内側方向ａに押圧させると、蛇腹部２は復元力により外側方向Ａに後戻りしようとする。
【００２３】  この際、空気栓１０は密封された状態となっているので、蛇腹部２は吸上げチューブ４より外気を吸気する。この時、吸上げチューブ４の逆止弁２０が上方へ開口されるとともに、ポリタンク内の灯油Ｂを吸上げ、吸上げられた灯油Ｂは開口された送出チューブ５の逆止弁１９を通り送出チューブ５からストーブのタンクへ送水される。
【００２４】  また特に、本発明の灯油ポンプにおいて、栓本体１１の底部には気密材７が、また吸気凸部６の基部には気密材８が配設されている。そのため、空気栓１０と蛇腹部２の吸気凸部６との接続部分の気密性が向上され、蛇腹部２の復元力を利用した給油において最適な給油効果が得られる。
【符号の説明】
【００２５】１    灯油ポンプ
２    蛇腹部
３    分枝部
４    吸上げチューブ
５    送出チューブ
６    吸気凸部
７    気密材
８    気密材
１０  空気栓
１１  栓本体
１２  開閉蓋
１３  円柱部
１４  開孔部
１５  凸状部
１６  連結部
１７  凸片
１８  凸部
１９  逆止弁
２０  逆止弁
Ａ    外側方向
ａ    内側方向
Ｂ    灯油
【図１】
2017160896.tif 000003
【図２】
2017160896.tif 000004
【図３】
2017160896.tif 000005
【図４】
2017160896.tif 000006
【図５】
2017160896.tif 000007
【図６】
2017160896.tif 000008
【図７】
2017160896.tif 000009